【手続補正書】
【提出日】令和1年5月17日(2019.5.17)
【手続補正１】
【補正対象書類名】特許請求の範囲
【補正対象項目名】全文
【補正方法】変更
【補正の内容】
【特許請求の範囲】
【請求項１】
第１の端部と第２の端部とを有する耳あな型補聴器であって、
音声を受信するように構成されるマイクロフォンと、
ユーザの聴力損失を補うために処理されたオーディオ信号を提供するように構成される処理ユニットと、
音響出力を提供する出力トランスデューサと、
前記補聴器の前記第２の端部よりも前記第１の端部の近くに設けられる無線通信のためのアンテナと、
無線通信のための無線通信ユニットと、
前記補聴器の前記第１の端部と前記第２の端部との間に設けられ、前記アンテナの偏波を形成するように構成される偏波要素と、を備える、補聴器。
【請求項２】
前記補聴器が前記ユーザの耳内に配置された使用状態において、前記アンテナの前記偏波は、前記ユーザの頭部の表面に対して平行な方向よりも垂直な方向に大きい、請求項１に記載の補聴器。
【請求項３】
前記偏波要素は、導電性材料を備える、請求項１または２に記載の補聴器。
【請求項４】
前記偏波要素は、前記補聴器の前記第１の端部から延在し、及び／または前記補聴器の前記第２の端部まで延在する、請求項１から３のいずれかに記載の補聴器。
【請求項５】
補聴器シェルをさらに備え、
前記マイクロフォン、前記処理ユニット、前記出力トランスデューサ、前記アンテナ、前記無線通信ユニット、及び前記偏波要素は、前記補聴器シェル内に設けられる、請求項１から４のいずれかに記載の補聴器。
【請求項６】
前記補聴器シェルは、面積を有する内面を備え、
前記偏波要素は、前記補聴器シェルの前記内面の前記面積の５０％超を被覆する、請求項５に記載の補聴器。
【請求項７】
前記偏波要素の層は、前記補聴器シェル上に設けられる、請求項５または６に記載の補聴器。
【請求項８】
前記偏波要素は、幅と長さを有するストリップの形状を有し、
前記ストリップの前記長さは、前記補聴器シェルの第１の端部から前記補聴器シェルの第２の端部への、前記補聴器シェルの内面に沿った距離に対応する、請求項５から７のいずれか一項に記載の補聴器。
【請求項９】
前記アンテナは、第１の端部と第２の端部とを備え、
前記アンテナの前記第１の端部は、前記偏波要素に接続される、請求項１から８のいずれかに記載の補聴器。
【請求項１０】
前記補聴器が前記ユーザに装着された使用状態において、前記補聴器の前記第１の端部は、外側に向き、
前記補聴器の前記第２の端部は、使用状態において前記ユーザの前記耳の内側に向き、
前記第１の端部は、前記第１の端部の最外点と前記第２の端部の最外点との間の距離の３分の１まで延在する、請求項１から９のいずれかに記載の補聴器。
【請求項１１】
前記補聴器シェルは、
前記補聴器シェルの第１の端部に設けられる開口と、
前記補聴器シェルの前記開口を閉じるカバーと、を備え、
前記アンテナは、前記カバー内に設けられるか、前記カバーに取り付けられる、請求項５または請求項５に従属する請求項６から１０のいずれか一項に記載の補聴器。
【請求項１２】
前記アンテナは、第１の方向に長手延在部を有し、
前記アンテナの前記長手延在部の前記第１の方向は、前記補聴器シェルの前記開口と平行な面内に存在する、請求項１１に記載の補聴器。
【請求項１３】
プリント回路基板をさらに備え、
前記プリント回路基板は、接地面を備える、請求項１から１２のいずれか一項に記載の補聴器。
【請求項１４】
前記アンテナは、前記プリント回路基板の前記接地面に接続される、請求項１３に記載の補聴器。
【請求項１５】
前記偏波要素は、前記プリント回路基板の前記接地面に接続される、請求項１３または１４に記載の補聴器。
【手続補正２】
【補正対象書類名】明細書
【補正対象項目名】０１３９
【補正方法】変更
【補正の内容】
【０１３９】
以下の要素は、国際出願時の特許請求の範囲に記載の構成である。
（要素１）
第１の端部と第２の端部とを有する耳あな型補聴器であって、
音声を受信するように構成されるマイクロフォンと、
ユーザの聴力損失を補うために処理されたオーディオ信号を提供するように構成される処理ユニットと、
音響出力を提供する出力トランスデューサと、
前記補聴器の前記第２の端部よりも前記第１の端部の近くに設けられる無線通信のためのアンテナと、
無線通信のための無線通信ユニットと、
前記補聴器の前記第１の端部と前記第２の端部との間に設けられ、前記アンテナの偏波を形成するように構成される偏波要素と、を備える、補聴器。
（要素２）
前記補聴器が前記ユーザの耳内に配置された使用状態において、前記アンテナの前記偏波は、前記ユーザの頭部の表面に対して平行な方向よりも垂直な方向に大きい、要素１に記載の補聴器。
（要素３）
前記偏波要素は、導電性材料を備える、要素１または２に記載の補聴器。
（要素４）
前記偏波要素は、前記補聴器の前記第１の端部から延在し、及び／または前記補聴器の前記第２の端部まで延在する、要素１から３のいずれかに記載の補聴器。
（要素５）
補聴器シェルをさらに備え、
前記マイクロフォン、前記処理ユニット、前記出力トランスデューサ、前記アンテナ、前記無線通信ユニット、及び前記偏波要素は、前記補聴器シェル内に設けられる、要素１から４のいずれかに記載の補聴器。
（要素６）
前記補聴器シェルは、面積を有する内面を備え、
前記偏波要素は、前記補聴器シェルの前記内面の前記面積の５０％超を被覆する、要素５に記載の補聴器。
（要素７）
前記偏波要素の層は、前記補聴器シェル上に設けられる、要素１から６のいずれか一項に記載の補聴器。
（要素８）
前記偏波要素は、幅と長さを有するストリップの形状を有し、
前記ストリップの前記長さは、前記補聴器シェルの第１の端部から前記補聴器シェルの第２の端部への、前記補聴器シェルの内面に沿った距離に対応する、要素１から７のいずれか一項に記載の補聴器。
（要素９）
前記アンテナは、第１の端部と第２の端部とを備え、
前記アンテナの前記第１の端部は、前記偏波要素に接続される、要素１から８のいずれかに記載の補聴器。
（要素１０）
前記補聴器がユーザに装着された使用状態において、前記補聴器の前記第１の端部は、外側に向き、
前記補聴器の前記第２の端部は、使用状態において前記ユーザの前記耳の内側に向き、
前記第１の端部は、前記第１の端部の最外点と前記第２の端部の最外点との間の距離の３分の１まで延在する、要素１から９のいずれかに記載の補聴器。
（要素１１）
前記補聴器シェルは、
前記補聴器シェルの第１の端部に設けられる開口と、
前記補聴器シェルの前記開口を閉じるカバーと、を備え、
前記アンテナは、前記カバー内に設けられるか、前記カバーに取り付けられる、要素１から１０のいずれか一項に記載の補聴器。
（要素１２）
前記アンテナは、第１の方向に長手延在部を有し、
前記アンテナの前記長手延在部の前記第１の方向は、前記補聴器シェルの前記開口と平行な面内に存在する、要素１から１１のいずれか一項に記載の補聴器。
（要素１３）
プリント回路基板をさらに備え、
前記プリント回路基板は、接地面を備える、要素１から１２のいずれか一項に記載の補聴器。
（要素１４）
前記アンテナは、前記回路基板の前記接地面に接続される、要素１から１３のいずれか一項に記載の補聴器。
（要素１５）
前記偏波要素は、前記回路基板の前記接地面に接続される、要素１から１４のいずれか一項に記載の補聴器。
以下は、参照符号を説明するための構成である。
２    ：補聴器
４    ：補聴器の第１の端部
６    ：補聴器の第２の端部
８    ：マイクロフォン
１０  ：処理ユニット
１２  ：出力トランスデューサ
１４  ：アンテナ
１４ａ：第１のアンテナ素子
１４ｂ：第２のアンテナ素子
１４ｃ：アンテナの第１の端部
１４ｄ：アンテナの第２の端部
１６  ：無線通信ユニット
１８  ：偏波要素１８
２０  ：プリント回路基板
２２  ：シェル
２４  ：伝送線路
２６  ：プリント回路基板と出力トランスデューサとの間の接続
２８  ：カバーまたはフェイスプレート
３０  ：補聴器の開口
３２  ：偏波要素の接地面に対する接続